(57)【要約】【課題】従来のリモコンは、表示を見ないで過去の設定をそのまま送信しても起動できるため、誤った温度・モードで運転してしまうことがあり、無駄な電力消費を招くことがあった。【解決手段】エアコンの設定を行うために使用者がリモコンを操作したときに、温度／湿度の計測を行って適正値判別部１０３で判別すると共に、設定しようとしている値ではエアコンが省電力運転を行うために目標とすべき最適な設定値の一定の範囲を越えていた場合に、使用者に設定が適切でないことを適正値判別部１０３は振動出力制御部２０３により振動を発して報知する。【選択図】図１
2011202903.tif 000002
【特許請求の範囲】
【請求項１】
エアコン用リモコン装置において、リモコン本体の周囲温度や湿度を計測する温度／湿度センサと、予め前記温度／湿度センサで計測した温度／湿度に対して、省電力運転をエアコンが行うために目標とすべき最適な温度／湿度設定値との関係を保持する適正設定情報部と、前記温度／湿度センサが計測した値から前記適正設定情報部で適正と判断される現在の最適値を判別する適正値判別部と、前記適正値判別部からの最適値と、過去に設定された送信設定値を比較し差分が大きい場合に最適値を送信設定する設定制御部と、前記設定制御部から設定された新たな送信設定を設定信号として出力する送信信号制御部と、使用者がリモコンを操作したことを検知する操作検知部と、報知手段としての振動を発生させる振動出力制御部を備え、エアコンの設定を行うために使用者がリモコンを操作したときに、前記操作検知部にて操作を検知し、前記温度／湿度センサで温度／湿度の計測を行って前記適正値判別部で判別すると共に、設定しようとしている値ではエアコンが省電力運転を行うために目標とすべき最適な設定値の一定の範囲を越えていた場合に、使用者に設定が適切でないことを前記適正値判別部は前記振動出力制御部により振動を発して報知することができる報知制御手段を備えたことを特徴とするエアコン用リモコン装置。
【請求項２】
前記温度／湿度センサで計測した温度／湿度に対して、エアコンが省電力運転を行うために目標とすべき最適な温度／湿度設定値との関係を保持する適正設定情報の範囲を予め使用者が前記適正設定情報部を介して書き換え可能な設定値メモリに設定または変更することができ、前記設定値メモリに設定または変更した値に沿って前記適正値判別部で判別を行うことを特徴とする請求項１記載のエアコン用リモコン装置。
【請求項３】
使用者が設定しようとした値がエアコンが省電力運転を行うために目標とすべき最適な設定値から一定の範囲を越えていた場合に、使用者に設定が適切でないことを前記適正値判別部は最適な設定値との差分に応じて、振動の強さ、種類、振動間隔などの振動パターンを選んで振動出力制御部により振動を発して報知することができる報知制御手段を備えたことを特徴とする請求項１または２記載のエアコン用リモコン装置。
【請求項４】
エアコン用リモコン装置において、リモコン本体の周囲温度や湿度を計測する温度／湿度センサと、予め前記温度／湿度センサで計測した温度／湿度に対して、省電力運転をエアコンが行うために目標とすべき最適な温度／湿度設定値との関係を保持する適正設定情報部と、前記温度／湿度センサが計測した値から前記適正設定情報部で適正と判断される現在の最適値を算出する適正値判別部と、前記適正値判別部からの最適値と、過去に設定された送信設定値を比較し差分が大きい場合に最適値を送信設定する設定制御部と、前記設定制御部から設定された新たな送信設定を設定信号として出力する送信信号制御部と、使用者がリモコンを持ったことを検知する状態検知部と、報知手段としての振動を発生させる振動出力制御部を備え、前記温度／湿度センサで温度／湿度の計測を行って省電力運転に適切な設定を前記適正値判別部で判別して自動的に設定を変更して送信すると共に、使用者がリモコンを持ったときに自動的に設定を変更して送信したことを前記適正値判別部は前記振動出力制御部により振動を発して報知することができる報知制御手段を備えたことを特徴とするエアコン用リモコン装置。
【請求項５】
省電力運転に適切な設定を前記適正値判別部で判別して自動的に設定を変更しているにも関わらず、前記温度／湿度センサで計測した温度／湿度の値が一定時間以上最適な温度／湿度設定値に適切に近づいていかない場合に自動的に電力削減モードもしくは運転停止の設定を送信すると共に、使用者がリモコンを持ったときに設定または部屋の使用状況が適切でなかったために電力削減モードや運転停止の設定を送信したことを前記適正値判別部は前記振動出力制御部により振動を発して報知することができる報知制御手段を備えたことを特徴とする請求項４記載のエアコン用リモコン装置。
【発明の詳細な説明】
【技術分野】
【０００１】
本発明は、エアコンの設定を行うリモコンに温度／湿度センサを付与し省電力運転を行うエアコン用リモコン装置に関するものである。
【背景技術】
【０００２】
従来、エアコンにおいては、風や冷暖房のむだにより省電力が効率的にできないと言う課題があった。このため、エアコン室内機に家具や人、光を検知するセンサ回路を具備してエアコン室内機の温度・湿度・風量・風向の制御を行うことで、快適な環境を保ちつつ省電力を実現している。このとき、エアコン用リモコン装置から省電力の状態表示を指示することで省電力運転の状態を報知する方法が考案されている（例えば、特許文献１参照）。
【０００３】
図９に従来考案されているエアコン用リモコン装置のブロック図、図１０に従来考案されているエアコン用リモコン装置の制御手順例、図１１には従来考案されているエアコンの説明図を示す。
【０００４】
以下、図９から図１１を参照して従来のエアコンおよびエアコン用リモコン装置の動作について簡単に説明する。
【０００５】
リモコン装置は、図９に示すように設定内容を変更するための操作の内容を検知する操作検出部１０１と、予めエアコンの運転に関わる設定を記憶した適正設定情報部１０２と、
前記操作検出部１０１からの設定内容と前記適正設定情報部１０２の適正値を選択・判別する適正値判別部１０３と、設定された運転条件をエアコンの室内機に転送する送信信号制御部１０４と、設定内容を使用者に伝える表示制御部１０５とで構成されている。また、その制御手順は、図１０に示す通りであり、エアコンの運転に関わる設定を記憶した設定情報を選択表示するか、または送信するのみである。
【０００６】
従来のエアコン用リモコン装置とエアコン、特に室内機との関係において、省電力の実現方法について、図１１を参照して簡単に説明する。リモコンから送信された設定値は、室内機で受信され室内機内の制御部に伝えられる。室内機の制御部は、室内機の温度・湿度センサ、人感センサ、超音波センサ、日照センサからの情報を基にリモコンから送信された設定値に対応した空調運転を行う。室内機の制御部は、室内機の各センサからの情報を常に監視しており、変化があった場合はその変化に対応してリモコンから送信された設定値に対応して運転状態の補正を行うことができるので省電力運転が可能であるという特徴を有している。このような構成のエアコンおよびリモコン装置において、省電力運転ための報知方法について、説明する。まずリモコンからの設定を行う際には、冷房や暖房などの運転項目ごとに予め省電力運転ができる設定を前記設定情報部１０１が保持しており、この設定情報に反する設定を使用者が操作・設定をした場合にはリモコンまたは室内機本体のＬＥＤ等の表示にて使用者に伝えることで省電力を行うための報知を行っている。また、リモコンから表示要求を送信することで、省電力運転の状況や履歴を省電力情報として室内機本体のＬＥＤ等の表示にて使用者に伝えることで省電力を行うための報知・促進を行っている。
【先行技術文献】
【特許文献】
【０００７】
【特許文献１】特開２００７−２４００６７号公報
【発明の概要】
【発明が解決しようとする課題】
【０００８】
しかしながら、上記従来の構成では、リモコンや室内機の表示を見ないでリモコンに設定された過去の設定はそのまま送信し起動できるため、誤った温度・モードで運転を指示してしまうことがあり、結果として無駄な電力消費を招くということがあった。
【０００９】
また、省電力の設定をより正確に行うためには、室内の環境を適時調べるよりも使用者の周囲環境を調べて最適化する方が合理的であるので、使用者がリモコンを所持して設定をこまめに変更する方がより有効であるが、実際は手間が掛かるために１度設定を行った後にこまめに設定を変更するということは少なく、そのまま運転させてしまうというようなこともあった。そのため、エアコン本体は、設定された条件に対して室内機から補足できる情報の範囲では正しく省電力運転することはできるが、より快適かつ省電力な運転が十分できない場合があった。
【００１０】
本発明は上記課題を解決するため、リモコン本体で温度／湿度を検知して省電力運転を行うために、設定が適正か判断することで、使用者がリモコンを操作したときに、省電力運転をエアコンが行うために最適な設定値の範囲を超えていた場合に、使用者に設定が適切でないことを振動を発して報知すること、また自動的に設定を変更して送信すると共に、その後使用者がリモコンを持ったときに省電力運転に適切な設定に自動的に設定を変更して送信したことを振動を発して報知することができ、それによって、リモコン操作・設定を行う際に省電力運転を行うことができる設定へ誘導すること、または省電力運転の設定に自動的に変更したことを報知することが可能な制御方法を有するエアコン用リモコン装置の提供を目的とする。
【課題を解決するための手段】
【００１１】
上記目的を達成するために、本発明のエアコン用リモコン装置は、リモコン本体の周囲温度や湿度を計測する温度／湿度センサと、予め前記温度／湿度センサで計測した温度／湿度に対して、省電力運転をエアコンが行うために目標とすべき最適な温度／湿度設定値との関係を保持する適正設定情報部と、前記温度／湿度センサが計測した値から前記適正設定情報部で適正と判断される現在の最適値を判別する適正値判別部と、前記適正値判別部からの最適値と、過去に設定された送信設定値を比較し差分が大きい場合に最適値を送信設定する設定制御部と、前記設定制御部から設定された新たな送信設定を設定信号として出力する送信信号制御部と、使用者がリモコンを操作したことを検知する操作検知部と、報知手段としての振動を発生させる振動出力制御部を備え、エアコンの設定を行うために使用者がリモコンを操作したときに、前記操作検知部にて操作を検知し、前記温度／湿度センサで温度／湿度の計測を行って前記適正値判別部で判別すると共に、設定しようとしている値ではエアコンが省電力運転を行うために目標とすべき最適な設定値の一定の範囲を越えていた場合に、使用者に設定が適切でないことを前記適正値判別部は前記振動出力制御部により振動を発して報知することができる報知制御手段を備えたものである。
【００１２】
これによって、使用者がリモコンを操作したときに、温度／湿度センサで温度／湿度の計測を行って省電力運転に適切な設定を判別すると共に、設定しようとした値が省電力運転を行うために目標とすべき最適な設定値の一定の範囲を越えていた場合、使用者に設定が適切でないことを振動によって報知することができる。
【発明の効果】
【００１３】
本発明のエアコン用リモコン装置およびその制御方法によれば、リモコンが記憶していた過去の設定で間違った運転をしてしまうことを防止することが可能で、リモコン自体が振動するので操作・設定に問題があったということを直感的に知ることができ、光や表示での報知のように見落とすことがないというメリットがある。また、更に省電力の設定を行うための手間が掛からず、リモコンのある場所を快適に制御しながら、省電力運転を常に行うことができる。
【図面の簡単な説明】
【００１４】
【図１】本発明の実施の形態１におけるエアコン用リモコン装置のブロック図
【図２】本発明の実施の形態１におけるエアコン用リモコン装置の制御手順図
【図３】本発明の実施の形態２におけるエアコン用リモコン装置のブロック図
【図４】本発明の実施の形態３におけるエアコン用リモコン装置のブロック図
【図５】本発明の実施の形態３におけるエアコン用リモコン装置の制御手順図
【図６】本発明の実施の形態４におけるエアコン用リモコン装置のブロック図
【図７】本発明の実施の形態４におけるエアコン用リモコン装置の制御手順図
【図８】本発明の実施の形態５におけるエアコン用リモコン装置の制御手順図
【図９】従来のエアコン用リモコン装置のブロック図
【図１０】従来のエアコン用リモコン装置の制御手順図
【図１１】従来のエアコンの説明図
【発明を実施するための形態】
【００１５】
本発明の請求項１のエアコン用リモコン装置は、リモコン本体の周囲温度や湿度を計測する温度／湿度センサと、予め前記温度／湿度センサで計測した温度／湿度に対して、省電力運転をエアコンが行うために目標とすべき最適な温度／湿度設定値との関係を保持する適正設定情報部と、前記温度／湿度センサが計測した値から前記適正設定情報部で適正と判断される現在の最適値を判別する適正値判別部と、前記適正値判別部からの最適値と、過去に設定された送信設定値を比較し差分が大きい場合に最適値を送信設定する設定制御部と、前記設定制御部から設定された新たな送信設定を設定信号として出力する送信信号制御部と、使用者がリモコンを操作したことを検知する操作検知部と、報知手段としての振動を発生させる振動出力制御部を備え、エアコンの設定を行うために使用者がリモコンを操作したときに、前記操作検知部にて操作を検知し、前記温度／湿度センサで温度／湿度の計測を行って前記適正値判別部で判別すると共に、設定しようとしている値ではエアコンが省電力運転を行うために目標とすべき最適な設定値の一定の範囲を越えていた場合に、使用者に設定が適切でないことを前記適正値判別部は前記振動出力制御部により振動を発して報知することができる報知制御手段を備えたことにより、使用者がリモコンを操作したときに、温度／湿度センサで温度／湿度の計測を行って省電力運転に適切な設定を判別すると共に、設定しようとした値が省電力運転を行うために目標とすべき最適な設定値の一定の範囲を越えていた場合、使用者に設定が適切でないことを振動によって報知することができる。
【００１６】
本発明の請求項２のエアコン用リモコン装置は、請求項１のエアコン用リモコン装置において、前記温度／湿度センサで計測した温度／湿度に対して、エアコンが省電力運転を行うために目標とすべき最適な温度／湿度設定値との関係を保持する適正設定情報の範囲を予め使用者が前記適正設定情報部を介して書き換え可能な設定値メモリに設定または変更することができ、前記設定値メモリに設定または変更した値に沿って前記適正値判別部で判別を行うことにより、温度／湿度センサで計測した温度／湿度に対して省電力運転をエアコンが行うために目標とすべき最適な温度／湿度設定値との関係・適正設定情報の範囲を予め使用者が前記適正設定情報部に設定または変更することができ、この変更した値に沿って前記適正値判別部で判別を行って、使用者がリモコンを操作したときにその範囲を超えていた場合には、設定が適切でないことを振動によって報知することができる。
【００１７】
本発明の請求項３のエアコン用リモコン装置は、請求項１または２のエアコン用リモコン装置において、使用者が設定しようとした値がエアコンが省電力運転を行うために目標とすべき最適な設定値から一定の範囲を越えていた場合に、使用者に設定が適切でないことを前記適正値判別部は最適な設定値との差分に応じて、振動の強さ、種類、振動間隔などの振動パターンを選んで振動出力制御部により振動を発して報知することができる報知制御手段を備えたことにより、使用者がリモコンを操作したときに前記温度／湿度センサで温度／湿度の計測を行って省電力運転に適切な設定を前記適正値判別部で判別すると共に、設定しようとした値が省電力運転を行うために目標とすべき最適な設定値から一定の範囲を越えていた場合に最適な設定値との差分に応じて振動の強さ、種類、振動間隔を変化させて報知することができる。
【００１８】
本発明の請求項４のエアコン用リモコン装置は、エアコン用リモコン装置において、リモコン本体の周囲温度や湿度を計測する温度／湿度センサと、予め前記温度／湿度センサで計測した温度／湿度に対して、省電力運転をエアコンが行うために目標とすべき最適な温度／湿度設定値との関係を保持する適正設定情報部と、前記温度／湿度センサが計測した値から前記適正設定情報部で適正と判断される現在の最適値を算出する適正値判別部と、前記適正値判別部からの最適値と、過去に設定された送信設定値を比較し差分が大きい場合に最適値を送信設定する設定制御部と、前記設定制御部から設定された新たな送信設定を設定信号として出力する送信信号制御部と、使用者がリモコンを持ったことを検知する状態検知部と、報知手段としての振動を発生させる振動出力制御部を備え、前記温度／湿度センサで温度／湿度の計測を行って省電力運転に適切な設定を前記適正値判別部で判別して自動的に設定を変更して送信すると共に、使用者がリモコンを持ったときに自動的に設定を変更して送信したことを前記適正値判別部は前記振動出力制御部により振動を発して報知することができる報知制御手段を備えたことにより、前記温度／湿度センサで温度／湿度の計測を行って省電力運転に適切な設定を前記適正値判別部で判別して自動的に設定を変更して送信すると共に、エアコンの設定を行うために使用者がリモコンを持ったときに省電力運転に適切な設定に自動的に設定を変更して送信したことを振動によって報知することができる。
【００１９】
本発明の請求項５のエアコン用リモコン装置は、前記請求項４のエアコン用リモコン装置において、省電力運転に適切な設定を前記適正値判別部で判別して自動的に設定を変更しているにも関わらず、前記温度／湿度センサで計測した温度／湿度の値が一定時間以上最適な温度／湿度設定値に適切に近づいていかない場合に自動的に電力削減モードもしくは運転停止の設定を送信すると共に、使用者がリモコンを持ったときに設定または部屋の使用状況が適切でなかったために電力削減モードや運転停止の設定を送信したことを前記適正値判別部は前記振動出力制御部により振動を発して報知することができる報知制御手段を備えたことにより、省電力運転に適切な設定を前記適正値判別部で判別して自動的に設定を変更しているにも関わらず、前記温度／湿度センサで計測した温度／湿度の値が一定時間以上最適な温度／湿度に適切に制御できていない場合に自動的に電力削減モードや運転停止の設定を送信すると共に、使用者がリモコンを持ったときに設定または使用している部屋の状況が適切でなかったために電力削減モードや運転停止の設定を送信したことを振動によって報知することができる。
【００２０】
以下に、本発明の実施の形態について、図面を参照しながら説明する。なお、この実施の形態によって本発明が限定されるものではない。
【００２１】
（実施の形態１）
図１は、本発明の実施の形態１におけるエアコン用リモコン装置のブロック図である。なお、その他の構成は従来例図９と同様であるため、図９と同一機能を有する部分は同一符号を付して説明を省略する。
【００２２】
図１において、温度・湿度センサ２０１はリモコン装置近傍の温度・湿度を計測し、計測値信号ｆを出力する。また適正設定情報部１０２は、予め温度・湿度に対して省電力が可能な参照最適値を格納しているおり、温度・湿度の計測値に対応して参照最適値信号ｂを出力する。適正値判別部１０３は、前記温度・湿度センサ２０１からの計測値信号ｆと前記適正設定情報部１０２からの参照最適値信号ｂを受けて最適値を判別し最適値信号ｃを出力する。操作検出部１０１は、使用者が設定しようとしている操作・設定内容を操作検出信号ａにて出力する。送信信号制御部１０４は、過去に送信した設定内容を送信済設定信号ｇにて出力する。
【００２３】
設定制御部２０２は、前記操作検出部１０１からの操作検出信号ａ、前記送信信号制御部１０４からの送信済設定信号ｇ、作検出信号ａと、前記適正値判別部１０３からの適正値信号ｃを比較することで、前記送信信号制御部に新たな設定値を転送するか否かを判別して必要な場合には、前記送信信号制御部に送信設定信号ｅを出力する。送信設定信号ｅは同時に表示制御部１０５にも出力されて新たな設定内容がリモコンの表示部に表示される。送信設定信号ｅを受けた前記送信信号制御部は、エアコン室内機に向けて送信信号ｄを出力し、新たな設定での運転が開始される。更に前記設定制御部２０２は、前記操作検出部１０１からの操作検出信号ａと、前記適正値判別部１０３からの適正値信号ｃにより使用者が設定しようとしている操作・設定内容の比較が可能で、比較判別の結果使用者が設定しようとしている設定内容が適正値の一定範囲から外れている場合には、振動出力指示信号ｈを出力する。振動出力制御部２０３は、前記設定制御部２０２からの振動出力指示信号ｈを受けると、振動出力ｉを出力し、リモコンそのものを振動させる構造となっている。
【００２４】
次に、図２により本発明の実施の形態１における制御手順について、説明する。
【００２５】
図１のエアコン用リモコン装置において、まず温度・湿度センサ２０１はリモコン装置近傍の温度・湿度を一定の時間間隔で計測して計測値信号ｆを出力する。前述のように適正設定情報部１０２は、予め温度・湿度に対して省電力が可能な参照最適値を格納しており、温度・湿度の計測値に対応して参照最適値信号ｂを出力する。このとき、適正値判別部１０３は、前記温度・湿度センサ２０１からの計測値信号ｆと前記適正設定情報部１０２からの参照最適値信号ｂを受けて最適値を判別する。温度・湿度の変化に対応し適正値の値を変更させるのか否かを判定して、変更する場合は送信値設定を行う動作に移る。前記操作検出部からの操作検出信号を待ち、使用者の設定内容と前述した最適値を比較し、使用者の設定内容が最適値の一定範囲内であれば、設定変更の送信動作に移行する。範囲外と判定した場合は、前記設定制御部２０２からの振動出力指示信号ｈを出力してリモコンそのものを振動させる。
【００２６】
このように本実施の形態では、温度・湿度センサ２０１はリモコン装置近傍の温度・湿度を一定の時間間隔で計測して、予め温度・湿度に対して省電力が可能な参照最適値から温度・湿度の変化に対応した適正値を求め、使用者の操作・設定内容と前述した最適値を比較して、使用者の設定内容が最適値の一定範囲内であれば、設定変更の送信動作を行い、範囲外と判定した場合はリモコンそのものを振動させることで、快適で省電力が可能なエアコンの運転設定ができるような報知を可能としている。
【００２７】
（実施の形態２）
図３は、本発明の実施の形態２におけるエアコン用リモコン装置のブロック図である。
【００２８】
図３のエアコン用リモコン装置では、前記適正設定情報部１０２は、予め温度・湿度に対して省電力が可能な参照最適値を使用者の意図により変更した内容を格納することが可能となっている。設定値を変更する場合は設定値変更モードに移行し、使用者は予め格納されている設定情報に対して前記設定制御部２０２を介してカスタム設定情報信号ｋにて、前記適正設定情報部１０２に設定情報の変更内容を伝える。前記適正設定情報部１０２は、省電力可能な範囲で温度・湿度の計測値に対応した参照最適値の変更を受け付けカスタム設定値信号ｊを出力する。設定値メモリ３０１は、書き込み可能なメモリで構成され、前記適正設定情報部１０２からのカスタム設定値信号ｊにて設定値の変更・記憶を行う。
【００２９】
なお、設定値の変更に際しては、表示制御部１０５を利用することで使用者が変更作業を簡便にできる環境を提供することも可能である。また、本発明の実施の形態２におけるエアコン用リモコン装置の制御手順は図２と同じで、適正設定情報部１０２が出力する参照最適値信号ｂの内容が予め決まった値なのか、カスタム設定により変更可能であるかの違いのみである。
【００３０】
（実施の形態３）
図４は、本発明の実施の形態３におけるエアコン用リモコン装置のブロック図である。
【００３１】
図１では前記振動出力制御部２０３が振動出力指示信号ｈにてオン／オフのみが制御されているのに対して、図４では振動パターン制御部４０１により振動の強弱、長さ、間隔などを制御することができる点に違いがある。前記振動パターン制御部４０１からの振動方法の制御は、前記設定制御部で検知される使用者の設定内容と適正値の差分情報の出力である差分信号ｌに基づいて行われる。
【００３２】
図５により本発明の実施の形態３における制御手順について、説明する。図４のエアコン用リモコン装置において、温度・湿度の変化に対応し適正値の値を変更させるのか否かを判定して、変更する場合は送信値設定を行う動作に移るまでは、図２で示した本発明の実施の形態１における制御手順と同じであり、前記操作検出部１０１からの操作検出信号ａを待ち、使用者の設定内容と前述した最適値を比較し、使用者の設定内容が最適値の一定範囲内であれば、設定変更の送信動作に移行する。範囲外と判定した場合は、前記設定制御部２０２から前記振動パターン制御部４０１に差分信号ｌを出力してリモコンそのものを振動させる。ここで、差分信号ｌは使用者の設定内容と適正値の差分情報の出力であり、この差分情報について予め定義した範囲ごとに対応する振動方法を定義しておく。前記振動パターン制御部４０１は、この定義を基に差分信号ｌの内容に応じた振動パターンを振動出力指示信号ｈにより、前記振動出力制御部に伝えることで振動出力ｉの強弱、長さ、間隔などを変化させる。
【００３３】
このように本実施の形態では、温度・湿度センサ２０１はリモコン装置近傍の温度・湿度を一定の時間間隔で計測して、予め温度・湿度に対して省電力が可能な参照最適値から温度・湿度の変化に対応した適正値を求め、使用者の操作・設定内容と前述した最適値を比較して、使用者の設定内容が最適値の一定範囲内であれば、設定変更の送信動作を行い、範囲外と判定した場合はリモコンそのものを強弱、長さ、間隔などを変化させて振動させることで、快適で省電力が可能なエアコンの運転設定がその振動のパターンを感じ取ることで、最適な設定値にされていないこと、修正操作で正しい方向に修正設定ができたかどうかを報知し、振動が停止することで最適な設定がされたことを報知可能としている。
【００３４】
なお、予め定義した最適範囲から遠ざかると振動および休止時間が長い振動パターンになり、逆に近づくと振動および休止時間が短い振動パターンとしたり、逆に比較結果が予め定義した最適範囲から遠ざかると振動および休止時間が短い振動パターンになり、逆に近づくと振動および休止時間が長い振動パターンといった制御で報知してもよい。更に、予め定義した範囲ごとに全く違う振動パターンを定義してもよく、ユーザーがその振動パターンの違いを認知しておくことで報知・誘導することができる。
【００３５】
（実施の形態４）
図６は、本発明の実施の形態４におけるエアコン用リモコン装置のブロック図である。
【００３６】
図６のエアコン用リモコン装置では、図１に対して状態検知部５０１がある点が異なっている。こ前記状態検知部５０１は、加速度センサやタッチセンサなどの応用により使用者がリモコンを手に取ったことを検知することができる。また前記設定制御部２０２は、温度・湿度に対して省電力が可能な最適値を使用者の操作がなくても自動的に変更・送信することが可能となっている。
【００３７】
次に、図７により本発明の実施の形態４における制御手順について、説明する。
【００３８】
図６のエアコン用リモコン装置において、まず温度・湿度センサ２０１はリモコン装置近傍の温度・湿度を一定の時間間隔で計測して計測値信号ｆを出力する。前述のように適正設定情報部１０２は、予め温度・湿度に対して省電力が可能な参照最適値を格納しており、温度・湿度の計測値に対応して参照最適値信号ｂを出力する。このとき、適正値判別部１０３は、前記温度・湿度センサ２０１からの計測値信号ｆと前記適正設定情報部１０２からの参照最適値信号ｂを受けて最適値を判別する。温度・湿度の変化に対応し適正値の値を変更させるのか否かを判定して、変更する場合は送信値設定を行う動作に移る。このとき前記操作検出部１０１からの操作検出信号を待つことなく現在の温度・湿度に対応した設定変更を送信する。
【００３９】
次に前記状態検知部５０１にて使用者がリモコンを手に取ったことを検知する動作を開始する。使用者がリモコンを手に取った際に前記状態検知部５０１は状態検知信号ｍを出力する。前記設定制御部２０２は、前記状態検知部５０１は状態検知信号ｍを受けると、使用者に予め温度・湿度の変化に対応して設定値を自動で変更したことを報知するため、振動出力指示信号ｈを出力してリモコンそのものを振動させる。
【００４０】
このように本実施の形態では、温度・湿度の変化に対応し設定を変更させるのか否かを判定し、変更する場合は操作検出を待つことなく自動的に設定変更を送信する一方で、使用者がリモコン設定を行おうとした場合や設定内容の確認のため表示を見ようとしてリモコンを手に取った際に状態を検知し、使用者に設定値を自動で変更したことを報知するため、リモコンそのものを振動させることで報知可能としている。
【００４１】
（実施の形態５）
図８は、本発明の実施の形態５におけるエアコン用リモコン装置の制御手順図である。
【００４２】
図８では、図６本発明の実施の形態４におけるエアコン用リモコン装置のブロック図の構成と同じ構成であるが、手順と制御内容に違いがある。
【００４３】
図６のエアコン用リモコン装置において、まず温度・湿度センサ２０１はリモコン装置近傍の温度・湿度を一定の時間間隔で計測して計測値信号ｆを出力する。前述のように適正設定情報部１０２は、予め温度・湿度に対して省電力が可能な参照最適値を格納しており、温度・湿度の計測値に対応して参照最適値信号ｂを出力する。このとき、適正値判別部１０３は、前記温度・湿度センサ２０１からの計測値信号ｆと前記適正設定情報部１０２からの参照最適値信号ｂを受けて最適値を判別する。温度・湿度の変化に対応し適正値の値を変更させるのか否かを判定して、変更する場合は送信値設定を行う動作に移る。このとき前記操作検出部１０１からの操作検出信号を待つことなく現在の温度・湿度に対応した設定変更を送信する。
【００４４】
ここで、温度・湿度センサ２０１が出力する計測値信号ｆが一定の時間観測しても最適値に近づいていかない場合、前記設定制御部２０２は制御不能と判断し、エアコンの停止または温度・湿度の制御を無視して最も省電力となるモードの設定を自動的に送信する。次に前記状態検知部５０１にて使用者がリモコンを手に取ったことを検知する動作を開始する。使用者がリモコンを手に取った際に前記状態検知部５０１は状態検知信号ｍを出力する。前記設定制御部２０２は、前記状態検知部５０１は状態検知信号ｍを受けると、使用者に予め温度・湿度の変化に対応して設定値を自動で変更したことを報知するため、振動出力指示信号ｈを出力してリモコンそのものを振動させる。
【００４５】
このように本実施の形態では、温度・湿度の変化に対応し設定を変更させるのか否かを判定し、変更する場合は操作検出を待つことなく自動的に設定変更を送信すると共に制御がうまくできない状態にあることをリモコンに具備する温度・湿度センサを用いて判断し、そのような場合には運転停止または温度・湿度の制御を無視して最も省電力となるモードの設定を自動的に送信する。一方で、使用者がリモコン設定を行おうとした場合や設定内容の確認のため表示を見ようとしてリモコンを手に取った際に状態を検知し、使用者に設定値を自動で変更したことを報知するため、リモコンそのものを振動させることで報知可能としている。
【００４６】
なお、上記本発明の実施の形態１から５におけるエアコン用リモコン装置において、もちろん振動での報知に加えて、ＬＣＤ等の表示、ＬＥＤやランプによる光報知、音声やブザーによる報知を併用させることでより解りやすくできるようにしてもよい。また、従来同様室内機に表示部を設けてリモコンから表示する指示を出す方法を併用してもよい。
【産業上の利用可能性】
【００４７】
本発明によれば、リモコンに設定された過去の設定で起動しようとすると振動で警告すると共に振動の状態で適正な設定に誘導できるので、誤った温度・モードで運転してしまうことを防止することが可能で、更にリモコンそのものが自動的に室内の環境を適時検知し、より快適でかつ省電力運転ための設定に変更すると共に、使用者がリモコンを手に取ったときに自動で設定を変更したことを振動で報知することができるので、常に快適かつ省電力な運転設定ができる各種空調機器用リモコン装置にも適用できる。
【符号の説明】
【００４８】
１０１  操作検出部
１０２  適正設定情報部
１０３  適正値判別部
１０４  送信信号制御部
１０５  表示制御部
２０１  温度・湿度センサ
２０２  設定制御部
２０３  振動出力制御部
３０１  設定値メモリ
４０１  振動パターン制御部
５０１  状態検知部
【図１】
2011202903.tif 000003
【図２】
2011202903.tif 000004
【図３】
2011202903.tif 000005
【図４】
2011202903.tif 000006
【図５】
2011202903.tif 000007
【図６】
2011202903.tif 000008
【図７】
2011202903.tif 000009
【図８】
2011202903.tif 000010
【図９】
2011202903.tif 000011
【図１０】
2011202903.tif 000012
【図１１】
2011202903.tif 000013